(57)【特許請求の範囲】
【請求項１】
躯体壁内部に壁パネルを立設するユニットバスの浴室内に設置した給水器具へ湯、或は水、若しくは混合湯水を供給する配管の更新方法であって、 
壁パネルの給湯栓、或は給水栓、若しくは湯水混合栓が取付けられた側から浴槽を離反させて後、前記壁パネルの浴室内側面側から壁パネルに開口を形成し、
該開口から切断手段を用いて、壁パネルの浴室外側面側の空間に設置してある、予め給水器具が取外してある既設の給湯配管、或は給水配管、若しくは給湯配管及び給水配管を、当該給湯配管、或は、給水配管、若しくは給湯配管及び給水配管の長手方向所定位置において切断し、
切断されて給水器具が取外された給湯配管、或は給水配管、若しくは給湯配管及び給水配管を前記開口から浴室側へ取出し、
可撓性のある新たな給湯配管、或は給水配管、若しくは給湯配管及び給水配管を、浴室側において、開口から壁パネルの浴室外側面側の空間に挿入して、当該空間及び当該空間に連なる水平な空間並びに浴室外の床面下部の空間の所定位置まで敷設し、
前記新たな給湯配管、或は給水配管、若しくは給湯配管及び給水配管に浴室側から給水器具を接続して壁パネルに取付けて後、若しくは取付ける前に、前記開口を蓋体により塞ぐことを特徴とする配管の更新方法。
【請求項２】
敷設された新たな給湯配管、或は給水配管、若しくは給湯配管及び給水配管の給湯、或は給水の流れ方向上流側先端、若しくは給湯及び給水の流れ方向上流側先端を、浴室外の床面下部の空間に配置された他の給湯配管、或は給水配管、若しくは給湯配管及び給水配管に接続した請求項１に記載の躯体壁内部に壁パネルを立設するユニットバスの浴室内に設置した給水器具へ湯、或は水、若しくは混合湯水を供給する配管の更新方法。
【請求項３】
他の給湯配管、或は給水配管、若しくは給湯配管及び給水配管の前記新たな給湯配管、或は給水配管、若しくは給湯配管及び給水配管が接続された側とは反対側の先端に、居住区内の他の給水給湯先から分岐管を合流した本管を介して、所定の機器器具を接続した請求項１又は２に記載の躯体壁内部に壁パネルを立設するユニットバスの浴室内に設置した給水器具へ湯、或は水、若しくは混合湯水を供給する配管の更新方法。
【請求項４】
給湯配管、給水配管として、内管の外周に当該内管よりも硬い外管が嵌合された架橋ポリエチレン製の二層管で、外管の外周を緩衝材で被覆した可撓性管を用いる請求項１乃至請求項３の何れかに記載の、躯体壁内部に壁パネルを立設するユニットバスの浴室内に設置した給水器具へ湯、或は水、若しくは混合湯水を供給する配管の更新方法。
【請求項５】
躯体壁内部にユニットバスの浴室を形成するために立設する壁パネルに形成した開口に嵌入される周方向に無端状の内枠及び該内枠の一端側外周縁部に設けられて前記開口に取付けられた場合は浴室側に位置するフランジ部を有する枠体と、
該枠体のフランジ部に取付けられて前記開口を浴室側から遮蔽する板体と、
前記内枠の周方向へ所定の間隔で設けられて内枠の板厚方向に貫通する複数の孔に嵌入される断面形状がΩ型の凸状部を備えた内枠固定ばねと、
前記壁パネルと開口に取付けられた枠体のフランジ部との間に介在する板状の第一ラバー介在体と、
前記枠体のフランジ部と板体との間に介在する板状の第二ラバー介在体を備え、
前記内枠固定ばねを前記枠体の内枠に形成した孔に嵌入した際には、内枠固定ばねの凸状部の一側部が前記壁パネルの浴室側とは反対側の面に当接して内枠固定ばねの弾撥力により、前記枠体をフランジ部と壁パネルとの間の前記第一ラバー介在体を介して前記壁パネルに固定し得るよう構成したことを特徴とする
躯体壁内部に壁パネルを立設するユニットバスの浴室内に設置した給水器具へ湯、或は水、若しくは混合湯水を供給する配管の更新に用いる前記開口を更新時に塞ぐ蓋体構造。
【発明の詳細な説明】
【技術分野】
【０００１】
本発明は、躯体内部に壁パネルを立設するユニットバスの浴室内に設置した給水器具へ湯、或は水、若しくは混合湯水を供給する配管の更新方法及び該方法に用いる蓋体構造に関するものである。
【背景技術】
【０００２】
例えば、集合住宅住戸内のユニットバスは、住戸内の所定場所に設置した床パンの縁部に壁パネルを立設して浴室を形成し、この浴室内の洗い場に隣接して浴槽が設置され、且つ、浴槽の洗い場側側面は、見栄えを良くするため、或は、洗い場側から浴槽の下面に水が入らないようにするため、エプロンにより覆われた構造となっている。又、例えば、浴室外において、浴室を挟んで脱衣所の反対側で躯体壁外部のシャフト（ＰＳ）内に設置した給湯器に接続された給湯配管は、浴室の床パン下部の空間を延在して、隣接する脱衣所の床面下部の空間に延在し、該空間において分岐し、分岐した給湯配管のうちの１本は、浴室の床パン下部の空間を通って浴室の壁パネル裏面の空間を立上り、その先端は、エルボ継手を介して浴室内に設置した湯水混合栓の給湯側に接続されている。又、同様に、浴室外の例えば、前記ＰＳ内に敷設した給水主配管に接続された給水配管は、浴室の床パン下部の空間を通って脱衣所の床面下部の空間に延在し、該空間において分岐し、分岐した給水配管のうちの１本は、浴室の床パン下部の空間を通って浴室の壁パネル裏面の空間を立上り、その先端は、エルボ継手を介して浴室内に設置した湯水混合栓の給水側に接続されている。更に、分岐した給湯配管、給水配管のうち、他の給湯配管や給水配管は、夫々洗面器や洗濯機、水洗トイレのタンク、台所の水栓等のほかの機器器具に接続されている。
【０００３】
経年劣化等により躯体壁の内部に壁パネルを立設するユニットバスの浴室内へ供給される給湯配管や給水配管を更新する場合は、壁パネル裏面の空間や床パン下部の空間に設置された給湯配管や給水配管は撤去せず、そのまま残置し、更新された給湯配管や給水配管は浴室内の隅辺部に露出した状態で配置して化粧用配管カバーによって覆うようにしている。
【０００４】
なお、浴室の給湯、給水用の配管構造の例としては、特許文献１、２があり、浴室の壁パネルに開口を設ける壁構造の例としては、特許文献３、４がある。
【先行技術文献】
【特許文献】
【０００５】
【特許文献１】特開平９−２２８４３４号公報
【特許文献２】特開平６−１９３２８６号公報
【特許文献３】特開平１１−６２２８６号公報
【特許文献４】特開２００４−７６５６３号公報
【発明の概要】
【発明が解決しようとする課題】
【０００６】
しかしながら、従来のユニットバスの給湯配管や給水配管の更新を行なう場合、更新した給湯配管及び給水配管は、化粧用配管カバーで覆っているものの浴室内に露出して設置しているため、見栄えが悪く、又、給湯配管及び給水配管を覆う化粧用配管カバーは白一色しかなかったため、浴室の壁面に色が合わない場合、目障りで不恰好であり、更新後、浴室の清掃の際には給湯配管及び給水配管が邪魔になり、清掃作業がやり難かった。
【０００７】
一方、特許文献１の場合、浴室内に設置された湯水混合栓に接続された給湯配管及び給水配管は、壁パネルと収納部壁面との間の空間内に敷設されているが、特別なカウンター構造が必要であり、又、給湯配管及び給水配管を更新する際の手順については何等開示されてはいない。又、特許文献２の場合、ユニットバスルーム内のユニット側配管は、枝管を介して、ユニットバスルーム内の特別に設けたカウンター外側に配置された躯体壁面間に形成された空間内に敷設されている主配管に接続されているが、主配管を更新する際の手順については何等開示されてはいない。
【０００８】
更に、特許文献３は、ユニットバスルームの壁に開口を形成してその開口部に浴室内部棚用途のニッチパネルを設置しているが、当該開口部は、給湯配管及び給水配管を更新するための開口ではなく、更に又、特許文献４は、壁パネルに開口部を形成してその開口部に給湯器を設置しているが、この開口部は給湯配管及び給水配管を更新するために設けたものではない。
【０００９】
本発明は、上記実情に鑑み、給湯配管及び給水配管等の配管を更新する際に、壁パネルに開口を形成して該開口から配管の更新を行い得るようにすることにより、様々な型式のユニットバスシステムの配管更新にも対応できて改造が少なく、且つ更新した配管を浴室内に設置せず壁パネル裏面の空間に設置するようにして見栄えを向上させ、しかも、更新後の清掃時に配管が邪魔にならないようにした配管の更新方法を提供すると共に、給湯配管及び給水配管等の配管の更新後に見栄え良く開口を塞ぐことができるようにした蓋体構造を提供することを目的としてなしたものである。
【課題を解決するための手段】
【００１０】
請求項１の躯体壁内部に壁パネルを立設するユニットバスの浴室内に設置した給水器具へ湯、或は水、若しくは混合湯水を供給する配管の更新方法は、
壁パネルの給湯栓、或は給水栓、若しくは湯水混合栓が取付けられた側から浴槽を離反させて後、前記壁パネルの浴室内側面側から壁パネルに開口を形成し、
該開口から切断手段を用いて、壁パネルの浴室外側面側の空間に設置してある、予め給水器具が取外してある既設の給湯配管、或は給水配管、若しくは給湯配管及び給水配管を、当該給湯配管、或は、給水配管、若しくは給湯配管及び給水配管の長手方向所定位置において切断し、
切断されて給水器具が取外された給湯配管、或は給水配管、若しくは給湯配管及び給水配管を開口から浴室側へ取出し、
可撓性のある新たな給湯配管、或は給水配管、若しくは給湯配管及び給水配管を、浴室側において、前記開口から壁パネルの浴室外側面側の空間に挿入して、当該空間及び当該空間に連なる水平な空間並びに浴室外の床面下部の空間の所定位置まで敷設し、
前記新たな給湯配管、或は給水配管、若しくは給湯配管及び給水配管に浴室側から給水器具を接続して壁パネルに取付けて後、若しくは取付ける前に、前記開口を蓋体により塞ぐものである。
【００１１】
請求項２の躯体壁内部に壁パネルを立設するユニットバスの浴室内に設置した給水器具へ湯、或は水、若しくは混合湯水を供給する配管の更新方法は、
敷設された新たな給湯配管、或は給水配管、若しくは給湯配管及び給水配管の給湯、或は給水の流れ方向上流側先端、若しくは給湯及び給水の流れ方向上流側先端を、浴室外の床面下部の空間に配置された他の給湯配管、或は給水配管、若しくは給湯配管及び給水配管に接続したものであり、
請求項３の躯体壁内部に壁パネルを立設するユニットバスの浴室内に設置した給水器具へ湯、或は水、若しくは混合湯水を供給する配管の更新方法は、他の給湯配管、或は給水配管、若しくは給湯配管及び給水配管の前記新たな給湯配管、或は給水配管、若しくは給湯配管及び給水配管が接続された側とは反対側の先端に、居住区内の他の給水給湯先から分岐管を合流した本管を介して、所定の機器器具を接続したものであり、
請求項４の躯体壁内部に壁パネルを立設するユニットバスの浴室内に設置した給水機器へ湯、或は水、若しくは混合湯水を供給する配管更新方法は、給湯配管、給水配管として、内管の外周に当該内管よりも硬い外管が嵌合された架橋ポリエチレン製の二層管で、外管の外周を緩衝材で被覆した可撓性管を用いるものである。
【００１２】
請求項５の躯体壁内部に壁パネルを立設するユニットバスの浴室内に設置した給水器具へ湯、或は水、若しくは混合湯水を供給する配管の更新に用いる前記開口を更新時に塞ぐ蓋体構造は、
躯体壁内部にユニットバスの浴室を形成するために立設する壁パネルに形成した開口に嵌入される周方向に無端状の内枠及び該内枠の一端側外周縁部に設けられて前記開口に取付けられた場合は浴室側に位置するフランジ部を有する枠体と、
該枠体のフランジ部に取付けられて前記開口を浴室側から遮蔽する板体と、
前記内枠の周方向へ所定の間隔で設けられて内枠の板厚方向に貫通する複数の孔に嵌入される断面形状がΩ型の凸状部を備えた内枠固定ばねと、
前記壁パネルと前記開口に取付けられた枠体のフランジ部との間に介在する板状の第一ラバー介在体と、
前記枠体のフランジ部と板体との間に介在する板状の第二ラバー介在体を備え、
前記内枠固定ばねを前記枠体の内枠に形成した孔に嵌入した際には、前記内枠固定ばねの凸状部の一側部が前記壁パネルの浴室側とは反対側の面に当接して内枠固定ばねの弾撥力により、前記枠体をフランジ部と壁パネルとの間の前記第一ラバー介在体を介して前記壁パネルに対し固定し得るよう構成したものである。
【発明の効果】
【００１３】
本発明の躯体壁内部に壁パネルを立設するユニットバスの浴室内に設置した給水器具へ湯、或は水、若しくは混合湯水を供給する配管の更新方法及び該方法に使用する蓋体構造によれば、給湯配管、或は給水配管、若しくは給湯配管及び給水配管を更新する際に、壁パネルに開口を形成して該開口から給湯配管、或は給水配管、若しくは給湯配管及び給水配管の一部を撤去して更新を行うことができるため、更新した給湯配管、或は給水配管、若しくは給湯配管及び給水配管を浴室内に設置せず壁パネル裏面に設置することができて見栄えが向上し、且つ更新後の清掃時に給湯配管、或は給水配管、若しくは給湯配管及び給水配管が邪魔にならないため、浴室の清掃の作業性が良好であり、給湯配管、或は給水配管、若しくは給湯配管及び給水配管の更新後の開口を見栄え良く塞ぐことができる、等種々の優れた効果を奏し得る。
【図面の簡単な説明】
【００１４】
【図１ａ】本発明の躯体壁内部に壁パネルを立設するユニットバスの浴室内に設置した給水器具へ湯、或は水、若しくは混合湯水を供給する配管の更新方法の手順を説明するための縦断面図で、給湯配管及び給水配管が更新される前の状態を示す、浴室の湯水混合栓設置部及びその近傍の縦断面図である。
【図１ｂ】図１ａを右前方側から見た斜視図である。
【図２】本発明の躯体壁内部に壁パネルを立設するユニットバスの浴室内に設置した給水器具へ湯、或は水、若しくは混合湯水を供給する配管の更新方法において使用する湯水混合栓の縦断面図であり、給湯配管及び給水配管の上端に取付けたエルボ継手に湯水混合栓を螺合して壁パネルに取付けた状態を示す縦断面図である。
【図３ａ】本発明の躯体壁内部に壁パネルを立設するユニットバスの浴室内に設置した給水器具へ湯、或は水、若しくは混合湯水を供給する配管の更新方法の手順を説明するための縦断面図で、浴槽を壁パネルから離反させた状態を示す、浴室の湯水混合栓設置部及びその近傍の縦断面図である。
【図３ｂ】図３ａを右前方側から見た斜視図である。
【図４ａ】本発明の躯体壁内部に壁パネルを立設するユニットバスの浴室内に設置した給水器具へ湯、或は水、若しくは混合湯水を供給する配管の更新方法の手順を説明するための縦断面図で、湯水混合栓の下部において壁パネルに開口を設けた状態を示す、浴室の湯水混合栓設置部及びその近傍の縦断面図である。
【図４ｂ】図４ａの右前方側から見た斜視図である。
【図５ａ】本発明の躯体壁内部に壁パネルを立設するユニットバスの浴室内に設置した給水器具へ湯、或は水、若しくは混合湯水を供給する配管の更新方法の手順を説明するための縦断面図で、湯水混合栓を給湯配管及び給水配管上端のエルボ継手及び壁パネルから取外し、給湯配管及び給水配管を開口の下端よりも下の位置で切断して、開口から取出す状態を示す、浴室の湯水混合栓設置部及びその近傍の縦断面図である。
【図５ｂ】図５ａの右前方側から見た斜視図である。
【図６ａ】本発明の躯体壁内部に壁パネルを立設するユニットバスの浴室内に設置した給水器具へ湯、或は水、若しくは混合湯水を供給する配管の更新方法の手順を説明するための縦断面図で、新たな給湯配管及び給水配管を壁パネルの開口から壁パネルと建物躯体との間の空間に挿入して床パンの下部空間に敷設している状態を示す、浴室の湯水混合栓設置部及びその近傍の縦断面図である。
【図６ｂ】図６ａの右前方側から見た斜視図である。
【図７ａ】本発明の躯体壁内部に壁パネルを立設するユニットバスの浴室内に設置した給水器具へ湯、或は水、若しくは混合湯水を供給する配管の更新方法の手順を説明するための縦断面図で、壁パネルと建物躯体との間に収納されて床パン下部の空間から浴室外の所定位置まで敷設された給湯配管及び給水配管の上端にエルボ継手を介し湯水混合栓を接続して当該湯水混合栓を壁パネルに取付けると共に、給湯配管及び給水配管の立上がり部を建物躯体に固定した状態を示す、浴室の湯水混合栓設置部及びその近傍の縦断面図である。
【図７ｂ】蓋体は開口に取付けない状態で、図７ａの右前方側から見た斜視図である。
【図８】（ａ）は壁パネルの開口に蓋体を取付けた状態を示す縦断面図、（ｂ）は図８（ａ）のＡ部拡大図、（ｃ）は図８（ａ）及び図８（ｂ）に示す内枠固定ばねの拡大斜視図である。
【図９】本発明の躯体壁内部に壁パネルを立設するユニットバスの浴室内に設置した給水器具へ湯、或は水、若しくは混合湯水を供給する配管の更新方法が適用された浴室及びその近傍の平面図で、給湯配管及び給水配管を浴室の床パン下部の空間から脱衣所の床面下部の空間に敷設し、その先端に他の給湯配管及び給水配管を接続し、他の給湯配管及び給水配管を所定の機器に接続した状態を示す平面図である。
【発明を実施するための形態】
【００１５】
以下、本発明の実施例を図示例と共に説明する。
【実施例１】
【００１６】
図１ａ、図１ｂ、図２、図３ａ、図３ｂ、図４ａ、図４ｂ、図５ａ、図５ｂ、図６ａ、図６ｂ、図７ａ、図７ｂ、図８（ａ）、図８（ｂ）、図８（ｃ）、図９は本発明の実施例１である。
【００１７】
図中、１は建物の床スラブ２上部に設置された躯体壁の内側に壁パネルを立設する、例えばユニットバスシステムである浴室である。すなわち、図１ａ，図１ｂ等に示すように、浴室１においては、床スラブ２上に設置した基礎３上には床パン４が設置され、床パン４の上面一側には、基礎５を介してユニットバスの浴槽６が設置されている。そして、床パン４における浴槽６設置部以外の側方箇所（例えば、図１ａに対して紙面の手前側）は洗い場となっている。又、床パン４の外周縁部に形成した段部４ａには、厚さ数ｍｍから十数ｍｍの壁パネル７が床パン４の四方を取囲むように立設され固定されている。浴槽６の洗い場側側部は、図示してないが、見栄えを良くするため、或は、洗い場側から浴槽６下部の基礎５を設けた空間に水が流れ込まないようにするため、エプロンにより覆われている。
【００１８】
建物躯体８と壁パネル７との間の空間９には、給湯配管１０及び給水配管１１が収納され、立設されている。給湯配管１０及び給水配管１１は、空間９の下端で継手を介し直角に曲折されて床スラブ２と床パン４との間の空間１２内を水平に敷設され、浴室１の外に延在し、その先端は、後述するように、浴室１に隣接した脱衣所の床面下部の空間において、給水主配管や洗濯機、給湯器等に接続された他の給湯配管や給水配管に接続されている。又、給湯配管１０の上端にはエルボ継手１３が接続され、給水配管１１の上端には、エルボ継手１４が接続されている。エルボ継手１３，１４には、湯水混合栓１５が着脱可能に接続されている。なお、湯水混合栓１５は、特許請求の範囲では、給水器具と称呼し、又、給水器具としては、本実施例における湯水混合栓１５の替りに、給湯栓、給水栓を使用することもできる。
【００１９】
すなわち、図２に詳細に示すように、給湯配管１０の上端に接続されたエルボ継手１３及び給水配管１１の上端に接続されたエルボ継手１４は直角に曲折して水平部１６，１７が形成されており、水平部１６，１７の先端側外周には、雄ねじ１８，１９が刻設され、先端側内周には、雌ねじ２０，２１が刻設されている。又、水平部１６，１７における雄ねじ１８，１９の給湯配管１０及び給水配管１１側端部外周には、フランジ２２，２３が形成されている。
【００２０】
又、エルボ継手１３，１４に形成された水平部１６，１７先端側の雄ねじ１８，１９が螺設された部分は、フランジ２２，２３が壁パネル７裏面の空間９に面した側に当接するよう、壁パネル７に形成した小孔２４，２５に嵌入され、雄ねじ１８，１９のパネル７から浴室１側に突出した先端部には、固定リング２６，２７が螺合されている。而して、エルボ継手１３，１４はフランジ２２，２３と固定リング２６，２７により、壁パネル７に固設されており、固定リング２６，２７と壁パネル７の浴室１側の面との間には、エルボ継手１３，１４内から給湯や給水が漏れないよう、Ｏリング２８，２９が介装されている。更に、エルボ継手１３，１４における水平部１６，１７に形成した雌ねじ２０，２１には、湯水混合栓１５の接続管３０，３１を螺合されている。なお、図２中、３２，３３は、湯水混合栓１５の接続管３０，３１に外嵌、固定されて浴室１側から固定リング２６，２７を覆う化粧カバーである。又、３４，３５は接続管３０，３１に一体的に設けられて側面形状が全体でＬ字状に形成され、且つ、浴室１内側からの正面視で八の字状に傾斜した状態に配置された脚管、３６は脚管３４，３５の上端に着脱可能に取付けられた混合栓本体、３７，３８は脚管３４，３５の上端側と混合栓本体３６を連結する際に用いる袋ナットである。
【００２１】
而して、ユニットバスが図１ａ、図１ｂに示すように所定状態に設置されている場合は、図２に示すように、給湯配管１０及び給水配管１１に接続されたエルボ継手１３，１４における水平部１６，１７の先端側は、壁パネル７の小孔２４，２５に嵌入されている。又、上述のように、水平部１６，１７に設けたフランジ２２，２３は壁パネル７の空間９側の面に当接し、水平部１６，１７の雄ねじ１８，１９に螺合された固定リング２６，２７は、壁パネル７の浴室１側の面に当接しており、エルボ継手１３，１４は、水平部１６，１７のフランジ２２，２３と固定リング２６，２７により挟持されて壁パネル７に固定されている。
【００２２】
湯水混合栓１５の接続管３０，３１には、予め化粧カバー３２，３３が外嵌、固定され、当該接続管３０，３１はエルボ継手１３，１４の水平部１６，１７における雌ねじ２０，２１に螺合されている。又、接続管３０，３１と一体的に設けた脚管３４，３５には、混合栓本体３６が着脱可能に取付けられて湯水混合栓１５が、壁パネル７の浴室１側の面に取付けられている。
【００２３】
図１ａ、図１ｂに示す、壁パネル７と建物躯体８との間の空間９から床パン４下部の空間１２を経て浴室１の外部まで敷設された給湯配管１０及び給水配管１１を更新する場合は、浴槽６の洗い場に面した側（例えば、図１ａの紙面に対し手前側）に設けられている図示してないエプロンを撤去した後、浴槽６を湯水混合栓１５側から離反する側へ移動させて（図３ａ、図３ｂ参照）、壁パネル７の湯水混合栓１５設置部前面に作業用のスペースを形成し、スペースを形成した位置における壁パネル７の斜め下方所定位置に約２５０ｍｍ×２５０ｍｍの開口４０を設ける（図４ａ、図４ｂ参照）。
【００２４】
壁パネル７に開口４０を設けたら、次いで、湯水混合栓１５をエルボ継手１３，１４から取外して壁パネル７から撤去し（湯水混合栓１５の取外し方の詳細は後述する）、しかる後、給湯配管１０及び給水配管１１を開口４０の下縁よりも若干下方位置でセーパーソー等の切断工具により切断し、上端にエルボ継手１３，１４が接続された状態の切断した給湯配管１０及び給水配管１１の当該エルボ継手１３，１４を、切断された給湯配管１０及び給水配管１１と一体のまま小孔２４，２５から空間９側へ抜取り、切断された給湯配管１０及び給水配管１１をエルボ継手１３，１４が取付けられた状態のまま、空間９から開口４０を通して浴室１内に取出し、更に浴室１外へ搬出する（図５ａ、５ｂ参照）。給湯配管１０及び給水配管１１は、夫々一本ずつ空間９から取出すが、順序としてはどちらを先にしても良い。給湯配管１０及び給水配管１１の空間９，１２に残った部分はそのまま残置しておく（図５ａ、図５ｂ参照）。
【００２５】
湯水混合栓１５を壁パネル７から撤去する手順は以下のとおりである。すなわち、図２において、袋ナット３７，３８を緩めて混合栓本体３６を脚管３４，３５から撤去し、接続管３０，３１と一体の脚管３４，３５を、夫々、接続管３０，３１と共に回動させることにより、エルボ継手１３，１４の水平部１６，１７先端から接続管３０，３１と共に離脱させ、化粧カバー３２，３３と一緒に撤去する。次いで、固定リング２６，２７をエルボ継手１３，１４における水平部１６，１７先端部の雄ねじ１８，１９から除去し、Ｏリング２８，２９も除去する。而して、これで湯水混合栓１５の取外しは終了したため、給湯配管１０及び給水配管１１を切断すれば、切断された給湯配管１０及び給水配管１１は前述のように、空間９から開口４０を通して浴室１内へ取出すことができる。
【００２６】
切断した給湯配管１０及び給水配管１１を空間９から撤去したら、一端部に新たなエルボ継手１３，１４が連結された長さ約３ｍ〜４ｍの可撓性の給湯配管４１及び給水配管４２を、エルボ継手１３，１４が設けられていない先端側から開口４０に挿入し、空間９，１２を経て浴室１に隣接した脱衣所の床面下部の空間まで順次送り込む（図６ａ、図６ｂ参照）。通常は室内面を水洗浄しないため、防水性を厳密に要求されない脱衣所の側では施工上よくあるが、今回も床に開口を設けておき、この開口から給湯配管４１及び給水配管４２を引くようにする。給湯配管４１及び給水配管４２は、例えば、内管と、内管より硬い外管を有する架橋ポリエチレン製の二層管で、望ましくは外周を緩衝材で被覆した可撓性管である。このような架橋ポリエチレン製の可撓性管を用いるのは、給湯配管４１及び給水配管４２を空間９，１２に敷設する際に、給湯配管４１，給水配管４２の接液する内管が、建物躯体８や床スラブ２、基礎３等に擦れて損傷するのを防止するためであり、緩衝材は可撓性管の外周の保護と、更新後の運転中にウォータハンマにより振動して他のものにぶつかった場合の音を緩衝するためである。図６ａ、図６ｂでは、一本の管を図示しているが、実際は、例えば、最初に給湯配管４１を敷設し、次いで給水配管４２を敷設する。又、最初に給水配管４２を敷設し、次いで給湯配管４１を敷設しても良い。
【００２７】
給湯配管４１及び給水配管４２が空間９から空間１２を経て脱衣所の床面下部の空間所定位置まで敷設されたら、例えば、給湯配管４１及び給水配管４２の上端に連結されたエルボ継手１３，１４の水平部１６，１７先端を、図２に示すように壁パネル７の小孔２４，２５に嵌入し、次いで、予めＯリング２６，２７が設けられている固定リング２６，２７を水平部１６，１７の雄ねじ２０，２１に螺合し、エルボ継手１３，１４をフランジ２２，２３と固定リング２６，２７により壁パネル７に対し固定する。又、エルボ継手１３，１４の壁パネル７に対する固定が終了したら、脚管３４，３５と一体で且つ外周に化粧カバー３２，３３が嵌められた接続管３０，３１をエルボ継手１３，１４における水平部１６，１７の先端側内周に形成した雌ねじ２０，２１に螺合し、次いで、脚管３４，３５に混合栓本体３６を接続して袋ナット３７，３８を締め、混合栓本体３６を脚管３４，３５に対し固定する。更に、給湯配管４１及び給水配管４２の空間９内に位置する部分には、開口４０から上下方向に所定の間隔で複数の固定ブラケット４３，４４を取付け、固定ブラケット４３，４４を介して給湯配管４１及び給水配管４２を建物躯体８の内側に固定し、開口４０を蓋体４５により閉塞する（図７ａ、図７ｂ、図８（ａ）参照）。
【００２８】
蓋体４５の詳細は、図７ｂ、図８（ａ）、図８（ｂ）、図８（ｃ）に示されている。すなわち、蓋体４５は、開口４０に嵌合するステンレス製の矩形額縁状の枠体４６と、枠体４６に取付けられるステンレス製の板体４７とを備えており、枠体４６は開口４０に直接内嵌する矩形状の内枠４６ａと、該内枠４６ａに連なると共に、壁パネル７の浴室１内部側に位置するようにしたフランジ部４６ｂから形成されて断面形状が略アングル型に形成されている。又、内枠４６ａの四辺には、一辺当り２個ずつの矩形状の小孔４８が設けられている。図中、４９は、凸形状のばね本体４９ａと、ばね本体４９ａの開口側端部両側に一体的に形成された平板状の縁部４９ｂとにより形成された断面Ω形状の内枠固定ばね、５０，５１は防水用の中空矩形状のラバーテープ、５２はコーキング、５３は蓋体４５固定用のビスである。
【００２９】
而して、開口４０を蓋体４５で閉塞する際には、ラバーテープ５０を内枠４６ａに外嵌させた状態で内枠４６ａを開口４０に貫通させると共に、壁パネル７の浴室側とフランジ部４６ｂとの間にラバーテープ５０を挟んだ状態で、枠体４６を開口４０に嵌合し、しかる後、ばね本体４９ａを板厚方向へつぶすよう撓ませた内枠固定ばね４９を縁部４９ｂ側から小孔４８に嵌めて内枠固定ばね４９を内枠４６ａに取付ける。そうすると、内枠固定ばね４９のばね本体４９ａが弾撥力によりもとの形状に復帰しようとして、突出部の一側部が壁パネル７の空間９側の面に当接する。このため、枠体４６は、ばね本体４９ａの弾撥力により、ラバーテープ５０を挟んで壁パネル７に対し固定される。
【００３０】
次いで、ラバーテープ５１を枠体４６のフランジ部４６ｂと板体４７との間に挟んだ状態で板体４７を枠体４６のフランジ部４６ｂに当接させ、ビス５３により板体４７を枠体４６延いては壁パネル７に取付け、固定し、壁パネル７と枠体４６のフランジ部４６ｂとの間の隙間、及びフランジ部４６ｂと板体４７との間の隙間、並びにフランジ部４６ｂ及び板体４７の外周部に防水のためのコーキング５２を行う（図８（ａ）、図８（ｂ）参照）。
【００３１】
蓋体４５の開口４０に対する取付けが終了後或は終了前の適宜の時期に、浴室１外まで敷設した給湯配管４１及び給水配管４２の先端を、脱衣所の床面に設けた開口から、洗濯器及び給湯器といった所定の機器に継手を用いて接続し、給水主配管、給湯器、洗濯機等の機器に接続されている他の給湯配管、給水配管に継手を介して接続する。接続終了後は脱衣所の床面に設けた開口は閉じ、浴室１の浴槽６はもとの位置に戻し（浴槽６の位置については、図１（ａ）、図１（ｂ）参照）、作業は終了する。これにより、板体４７は浴槽６に隠され、浴室１からは見えなくなる。
【００３２】
実施例１においては、給湯配管４１及び給水配管４２を更新する際に、壁パネル７に開口４０を形成して該開口４０から既設の給湯配管１０及び給水配管１１の一部を撤去して更新を行うことができるため、更新した給湯配管４１及び給水配管４２を浴室１内に設置せず壁パネル７裏面の空間９に設置することができて見栄えが向上し、且つ更新後の清掃時に給湯配管４１及び給水配管４２が邪魔にならないため、浴室１の清掃の作業性が良好であり、給湯配管４１及び給水配管４２の更新後の開口４０を見栄え良く塞ぐことができる。
【００３３】
図９には、浴室１の床パン４（図１ａ等参照）下部空間や脱衣所６０の床面下部の空間に給湯配管及び給水配管が敷設された状態が示されている。すなわち、湯水混合栓１５に接続された給湯配管４１、給水配管４２は、浴室１の床パン４下部の空間から脱衣所６０の床面下部の空間まで敷設され、給湯配管４１は、脱衣所６０の床面に予め設けた開口６０ａ内において他の給湯配管６１に継手６２を介して接続されている。又、給水配管４２は、脱衣所６０の床面に設けた開口６０ａ内において、継手６３，６４を介して他の給水配管６５に接続されている。給湯配管６１は建物躯体８に設けた孔を通り、浴室１の外に設置された給湯器６６に接続されている。
【００３４】
又、図９中、６７はメータ室で、該メータ室６７内には、建物に沿い立ち上がる給水主配管６８が配置され、給水主配管６８には、中間部に給水メータ６９が設けられた給水分岐配管７０が接続され、給水分岐配管７０は給水配管６５の給水流入側端部に接続されている。更に、前記継手６４には、他の機器へ給水を行なう給水配管７１が接続されており、継手６３には、洗濯機７２や洗面器７３といった他の機器へ給水を行なう給水配管７４が接続されている。継手６２には継手７５が接続され、継手７５には、洗濯機７２や洗面器７３といった他の機器に給湯を行なう給湯配管７６や、洗濯機７２、洗面器７３以外の図示してない他の機器に給湯を行なう給湯配管７７が接続されている。
【００３５】
更に、図９中、７８は、給水分岐配管７０から浴室１の外部に設置した給湯器６６へ給水を行なうよう、給水配管６５に接続された給水配管であり、給湯器６６で沸かされたお湯は、給湯配管６１へ送出されるようになっている。図９における給湯配管６１，７６，７７及び給水配管６５，７１，７４も給湯配管４１、給水配管４２と同様、内管と、内管より硬い外管を有する架橋ポリエチレン製の二層管で、外周を緩衝材で被覆した可撓性管である。又、図９中、７９は給水配管７４の中途部に接続された継手８０を介して洗濯機７２に給水を行なう給水配管、８１は浴室１の開閉可能な扉、８２は脱衣所６０の開閉可能な扉である。上記したように、脱衣所６０の床面に開口６０ａを設けることにより、各給湯配管４１，６１，７６，７７等や給水配管４２，６５，７１，７４，７９等の更新を容易に行なうことができる。  
【００３６】
なお、本発明の実施例においては、更新する配管が給湯配管及び給水配管の場合について説明したが、配管が給湯配管だけの場合（この場合は湯水混合栓に代えて給湯栓が使用される）、或は給水配管だけの場合（この場合は湯水混合栓に代えて給水栓が使用される）にも適用できること、その他、本発明の要旨を逸脱しない範囲内において種々変更を加え得ることは勿論である。
【符号の説明】
【００３７】
１  浴室
６  浴槽
７  壁パネル
９  空間
１０  給湯配管
１１  給水配管
１５  湯水混合栓（給水器具）
４０  開口
４１  給湯配管
４２  給水配管
４５  蓋体（蓋体構造）
４６  枠体
４６ａ        内枠
４６ｂ        フランジ部
４７  板体
４８  小孔（孔）
４９  内枠固定ばね
４９ａ        ばね本体
４９ｂ        縁部（一端側外周縁部）
５０  ラバーテープ（第一ラバー介在体）
５１  ラバーテープ（第二ラバー介在体）
６１  給湯配管
６５  給水配管
６６  給湯器（機器）
６８  給水主配管（機器）
７１  給水配管
７２  洗濯機（機器）
７４  給水配管
７６  給湯配管
７７  給湯配管
【図１ａ】
0005665587.tif 000002
【図１ｂ】
0005665587.tif 000003
【図２】
0005665587.tif 000004
【図３ａ】
0005665587.tif 000005
【図３ｂ】
0005665587.tif 000006
【図４ａ】
0005665587.tif 000007
【図４ｂ】
0005665587.tif 000008
【図５ａ】
0005665587.tif 000009
【図５ｂ】
0005665587.tif 000010
【図６ａ】
0005665587.tif 000011
【図６ｂ】
0005665587.tif 000012
【図７ａ】
0005665587.tif 000013
【図７ｂ】
0005665587.tif 000014
【図８】
0005665587.tif 000015
【図９】
0005665587.tif 000016